(57)【要約】【課題】パーテーションや簡易組立式住宅の壁部を組み立てるなどに使用される段ボール製パネルを簡易な工法により接続することができる接続構造を提供する。【解決手段】パネル１の接続辺部１−１の両面に沿って当接される二辺の挟持片部２−１を有するアングル材２と、接続辺部１−１の両面に当接された挟持片部２−１にわたり貫通されることにより、アングル材２とパネル１とを締結する締結手段３とを備えている。そして、アングル材２は挟持片部２−１を外向きに向けた状態で複数本を組み合わせることによって、挟持片部２−１をパネル１の厚さに相当とする間隔にて平行に対向させてパネル１を接続する。【選択図】図２
2010007445.tif 000002
【特許請求の範囲】
【請求項１】
段ボール製のパネルを、少なくとも二方向に向けて組立・分解可能に接続する接続構造であって、
前記パネルの接続辺部の両面に沿ってそれぞれ当接される二辺の挟持片部を有するアングル材と、
前記接続辺部の両面にそれぞれ当接された前記挟持片部にわたり貫通されることにより、前記アングル材と前記パネルとを締結する締結手段と、を備え、
前記アングル材は、少なくとも前記挟持片部を外向きに向けた状態で複数本を組み合わせることによって、前記挟持片部を前記パネルの厚さに相当とする間隔にて平行に対向させて前記パネルを接続することを特徴とする段ボール製パネルの接続構造。
【請求項２】
前記アングル材は、圧縮成形された紙材によって、断面視で略Ｌ字形状に形成されていることを特徴とする請求項１に記載の段ボール製パネルの接続構造。
【請求項３】
前記締結手段は、前記パネルの厚さに相当する長さを有し、前記アングル材の前記挟持片部の間に介在されるナット部材と、
前記挟持片部にそれぞれ設けられているネジ挿通孔側から前記ナット部材にそれぞれねじ込まれるネジ部材と、を備え、
前記パネルの前記接続辺部には、該接続辺部を、平行に対向する前記挟持片部の間に差し込んだときに、該挟持片部の間に介在されている前記ナット部材に係止させる係止凹部が設けられていることを特徴とする請求項１または請求項２に記載の段ボール製パネルの接続構造。
【請求項４】
前記係止凹部は、前記接続辺部の端面から前記パネルの内側に向けて開口される挿入口部と、この挿入口部の奥部から前記接続辺部の縁方向に向けて開口される抜け止め部とから略Ｌ字形状に形成されていることを特徴とする請求項３に記載の段ボール製パネルの接続構造。
【請求項５】
前記パネルが、簡易組立式住宅の壁部を組み立てる壁パネルであることを特徴とする請求項１から請求項４のいずれか１項に記載の段ボール製パネルの接続構造。
【発明の詳細な説明】
【技術分野】
【０００１】
本発明は、段ボール製パネルの接続構造に係り、例えば、台風、地震などの自然災害によって避難した住民が一時的に入居し、避難生活を送ることが可能な簡易組立式の仮設住宅の壁部、あるいは、緊急用医療室（個室）の壁部を構築する壁パネルの接続として、さらに、体育館内などにおける間仕切りを立て掛けるときの間仕切りパネルの接続などとして利用される段ボール製パネルの接続構造に関する。
【背景技術】
【０００２】
台風、地震、火山の噴火、および豪雪などの自然災害によって、家屋の倒壊や生命に対する危険性が強くなった地域に対し、避難命令や避難勧告が発せられた場合、避難住民は、小中学校の体育館や公民館などの、比較的安全で、かつ、多人数を一度に収容できる公共施設に避難し、一時的な避難生活（集団生活）を送ることとなる。
しかし、避難生活では、乳幼児から高齢者に至る幅広い年齢層の人々が、体育館などの床面に、地域の自治体などから提供（配布）される蒲団や毛布を敷詰めて個人、または、各世帯で狭いながらも寝起きできる程度のスペースを確保することができるが、個人や世帯毎にパーテーション（仕切り壁）などで区切ることができず、常に周囲の人の視線に晒されることとなる。
そのために、着替えなどの日常的な行動にも他人の視線を意識しなければならず、個人のプライバシーが確保されているとは言えない精神的なストレスが溜まりやすい劣悪な環境に置かれている。
また、起床時間や就寝時間などの各避難住民の生活リズムがバラバラであり、人の動きや話声が気になって十分な睡眠時間をとれない場合が多く、避難生活の不安やプライバシーの確保などの精神的ストレスおよび睡眠不足などの肉体的な疲労が蓄積し、些細なことで避難生活者同士がトラブルを起こすようなこともある。そのため、避難生活は、自然災害の発生直後の短い期間で完了し、長期にわたる避難生活の場合ではプライバシーなどの確保されたものにする必要がある。
【０００３】
そこで、自然災害が発生した地域では、一時的に仮住まいすることができる簡易組立式の仮設住宅の建設が行われている。
この仮設住宅は、自然災害の発生した地域の自治体などによって世帯毎に供給されるため、周囲の視線に晒されることがなく、精神的なストレスを低減することができる。そのため、避難前の生活リズムを守ることができ、避難住民同士のトラブルの発生を抑制し、さらには、避難住民の健康を安定させることができるようになる。
このような仮設住宅としては、例えば、特許文献１などにおいて開示されているように、予め工場などで資材の加工および仮組立てなどの工程を完了させ、仮設現場では、基礎となる土台への設置を主として行われるプレハブ工法によるものが一般的である。このプレハブ工法は、建築に掛かる期間を短くすることができ、短期間で多くの仮設住宅を建築することができるというメリットを有している。
【特許文献１】特開２００７−１９８１０８号公報
【発明の開示】
【発明が解決しようとする課題】
【０００４】
ところで、仮設住宅の多くは、特許文献１に記載されているように、合板などからなる板材と角材などを主たる建築資材として利用するために、これらの建築資材の仮設現場までの搬送するための荷積、および、搬送後の建築資材の積降しの際などにはクレーンなどの重機が必要となることがある。
【０００５】
また、自然災害の発生によって、応急的に集積された建築資材を利用して仮設住宅が建築されるために、各々の仕様にバラツキが生じ、建築資材毎に施工方法が異なったりするなど、実際の仮設現場の作業員でも混乱を生じることがあったり、広さや居住性などの点で相違が生じ、入居した避難住民の間で不公平感を覚えるなどの問題が生じることもあった。
【０００６】
さらに、建築された仮設住宅は、避難命令などが解除されると、避難住民はこれらの仮設住宅を離れ、自宅に戻ったり、あるいは新たな生活の場所を求め、他所に引っ越すことが一般的である。すなわち、仮設住宅は、災害直後から避難住民が日常生活に戻るまでの一時的な期間を過ごすためのものであり、避難命令などの解除後は不要となり、必然的に撤去する必要があった。
【０００７】
そこで、災害地域に集まった災害ボランティアなどの一般の人々などの手によって簡易な工法で建築することが可能で、しかも、撤去後には再利用することが可能な軽量で、かつ、リサイクル性の高い建築資材を利用した仮設住宅を期待する要望が多い。
【０００８】
本発明は、前記課題を解消するために創案されたものであり、パーテーションや簡易組立式住宅の壁部を組み立てるなどに使用される段ボール製パネルを、簡易な工法により接続することができる接続構造を提供することにある。
【課題を解決するための手段】
【０００９】
前記課題を解決するために、本発明では、段ボール製のパネルを、少なくとも二方向に向けて組立・分解可能に接続する接続構造であって、
前記パネルの接続辺部の両面に沿ってそれぞれ当接される二辺の挟持片部を有するアングル材と、前記接続辺部の両面にそれぞれ当接された前記挟持片部にわたり貫通されることにより、前記アングル材と前記パネルとを締結する締結手段とを備え、
前記アングル材は、少なくとも前記挟持片部を外向きに向けた状態で複数本を組み合わせることによって、前記挟持片部を前記パネルの厚さに相当とする間隔にて平行に対向させて前記パネルを挟持状に接続することを特徴とする。
ここで、前記アングル材は、圧縮成形された紙材によって、断面視で略Ｌ字形状に形成されていることが好適なものとなる。
また、前記締結手段は、少なくとも前記パネルの厚さに相当する長さを有し、前記アングル材の前記挟持片部の間に介在されるナット部材と、前記挟持片部にそれぞれ設けられているネジ挿通孔側から前記ナット部材にそれぞれねじ込まれるネジ部材とを備え、前記パネルの前記接続辺部には、該接続辺部を、平行に対向する前記挟持片部の間に差し込んだときに、該挟持片部の間に介在されている前記ナット部材に係止させる係止凹部が設けられていることが好適なものとなる。そして、前記係止凹部は、前記接続辺部の端面から前記パネルの内側に向けて開口される挿入口部と、この挿入口部の奥部から前記接続辺部の縁方向に向けて開口される抜け止め部とから略Ｌ字形状に形成されていることが好適なものとなる。
【００１０】
このような構成によれば、複数本のアングル材、例えば、断面視で略Ｌ字形状を呈する４本のアングル材を、その挟持片部を外向きにした状態で組み合わせることによって、各アングル材の挟持片部を、パネルの厚さに相当する間隔にて平行に対向させることができる。
これにより、平行に対向する各挟持片部の間にパネルの接続辺部をそれぞれ差し込んだ後に、平行に対向する各挟持片部にわたり締結手段に貫通させることによって、パネルを接続することができる。例えば、パネルを四方向（略十字状方向）に向けた状態で接続することができる。このとき、平行に対向する各挟持片部の間に締結手段のナット部材を介在させるとともに、このナット部材に挟持片部のネジ挿通孔からそれぞれネジ部材を仮止め状態にねじ込み、ナット部材にパネルの接続辺部の係止凹部を係止させるように、接続辺部を挟持片部の間に差し込んだ後に、ネジ部材を本締めする。
また、平行に対向している各挟持片部のうち、いずれか二ヶ所、または、三ヶ所を選択することで、パネルを直線や直角(略Ｌ字状)の二方向に向けて、あるいは、三方向（略Ｔ字状方向）に向けて接続することができる。
【００１１】
また、本発明では、前記パネルが、簡易組立式住宅の壁部を組み立てる壁パネルであることを特徴とする。
【００１２】
このような構成によれば、前記した簡易な工法によって、例えば、自然災害時などにおける仮設住宅の壁部を組み立てる壁パネルを接続することができる。これにより、自然災害の発生直後の短い期間で、避難住民に対して仮設住宅を提供することが可能になる。
【発明の効果】
【００１３】
本発明の段ボール製パネルの接続構造は、以上のように構成されていることで、簡易な工法によって、段ボール製パネルを接続することができる。
例えば、台風、地震などの自然災害によって体育館などの公共施設に避難した避難住民のプライバシーを守るパーテーション（仕切り壁）を組み立て立設するためのパネルの接続構造として用いることで、避難人数や避難場所の規模、そして、避難住民の家族構成に応じた広さにてパーテーションを簡易な工法で組み立て立設することができる。つまり、避難住民や災害ボランティアなどの手によって簡易にパーテーションを組み立てることができる。
【００１４】
また、アングル材は、パネルともに紙製であることで、それほど重いものではなく、容易に持ち運ぶことができる。つまり、体育館などの避難場所に搬入するなどの持ち運びを容易に行うことができる。しかも、廃棄する場合などには、再生紙の原料として再利用することが可能であり、リサイクル性に優れたものとすることができる。
【００１５】
また、本発明によれば、避難住民の簡易組立式住宅、いわゆる仮設住宅などの壁部を構築する壁パネルの接続構造として用いることで、軽量で段ボールの特性を活かした断熱性に優れた仮設住宅を、災害ボランティアなどの人力によって短時間で、簡易に建築することができる。
【発明を実施するための最良の形態】
【００１６】
以下、本発明の実施形態について、適宜図面を参照しながら詳細に説明する。
図１は、本発明の実施形態に係る接続構造による段ボール製パネルの接続形態の一例を示す概略平面図であり、図２は、図１の各要部の横断拡大図である。
なお、本実施形態に係る接続構造は、自然災害時に体育間などの公共施設に避難した避難住民のプライバシーなどを保護するパーテーションのパネルの接続として、あるいは、その仮設住宅や緊急用医療室（個室）の壁部を組み立てる壁パネルの接続として、されには、展示場などにおける各企業などの展示ブースの仕切り壁パネルの接続としてなどに適用することができる。
【００１７】
図１および図２に示すように、段ボール製のパネル１の接続辺部１−１を挟み込むようにその両面に沿って当接されるアングル材２と、両面に当接されたアングル材２とパネル２とを締結するようにパネル１の厚さ方向に貫通される締結手段３とを備えて構成されている。
【００１８】
≪パネルの構成≫
図３は、パネルおよびアングル材を示す斜視図である。ここでは、図１および図２を適宜参照しながら説明する。
図３に示すように、パネル１は、数枚（図示例では３枚）の段ボール紙を図示省略の接着剤などによって積層することによって、適宜の厚さに形成されている。そして、このパネル１は、段ボール紙のフルート方向を長さ方向（高さ方向）とする略縦長矩形形状に形成されている。
なお、段ボール紙を積層させて形成されるパネル１の両側表面や各辺部（長辺部、短辺部）の端面に、必要に応じて耐水性や耐久性（強度）などを向上させるための材料を含浸、あるいは塗布するなど加工処理を施すことも任意である。
【００１９】
そして、パネル１の両側長辺、すなわち、平行に対向するアングル材２の挟持片部２−１の間に差し込まれて締結手段３によって挟持状に締結されるパネル１の両側長辺の接続辺部１−１には、締結手段３の後記するナット部材３−１に引っ掛けるように係止させるための係止凹部４を備えている。また、パネル１の上下短辺には、ナット部材３−１の外形に相当する孔径を有するナット介在孔５を備えている。
【００２０】
≪係止凹部の構成≫
係止凹部４は、パネル１の接続辺部１−１を、アングル材２の対向する挟持片部２−１の間に内在させるときに、該挟持片部２−１の間から不用意に抜け外れないように、同挟持片部２−１の間に介在される締結手段３のナット部材３−１に引っ掛けるように係止させるためのものである。
この係止凹部４は、図３に示すように、接続辺部１−１におけるパネル１の高さ（縦幅）の要所、図示例では、等間隔をおいて三ヶ所に形成されている。そして、この係止凹部４は、接続辺部１−１の端面からパネル２の内側（パネル１の短辺幅方向）に向けて略水平な溝状に開口される挿入口部４−１と、この挿入口部４−１の溝奥から接続辺部１−１の縁方向（上方）に向けて溝状に開口される抜け止め部４−２とから略Ｌ字形状に形成されている。
【００２１】
≪アングル材の構成≫
アングル材２は、圧縮成形された紙材によって、断面視で略Ｌ字形状に形成されている。そして、このアングル材２は、図２および図３に示すように、パネル１の接続辺部１−１の両面に沿って当接される二辺の挟持片部２−１を有し、この二辺の挟持片部２−１の要所、つまり、パネル１の両側の接続辺部１−１に設けられている各係止凹部４に対応させた長さ方向の三ヶ所にネジ挿通孔６を備えている。
【００２２】
≪締結手段の構成≫
締結手段３は、平面視で略十字形状に組み合わせ連結される４本のアングル材２の平行に対向する挟持片部２−１の間を、パネル１の厚さに相当する間隔にて保持する。つまり、パネル１を挟持片部２−１の間で必要以上に押し潰さないように、挟持片部２−１の間をパネル１の厚さに保持する役目と、挟持片部２−１の間にパネル１の接続辺部１−１を締結保持するとともに、４本のアングル材２を背中合わせの平面視で略十字形状に連結する役目とをなすものである。
この締結手段３は、図２に示すように、パネル１の厚さに相当する長さを有して挟持片部２−１の間に介在（内在）されるナット部材３−１と、挟持片部２−１のネジ挿通孔６からナット部材３−１にそれぞれねじ込み締結される２本のネジ部材３−２とを備えて構成されている。
【００２３】
[作用説明]
つぎに、以上のように構成されている本実施形態に係る接続構造を用いた段ボールパネル１の接続について簡単に説明する。
図４は、段ボール製パネルを接続するときの手順の一例を示す要部の横断拡大図である。ここでは、図１および図２を適宜参照しながら説明する。
まず、図４の（ａ）に示すように、アングル材２の二辺の挟持片部２−１を外向きに向けた状態で４本のアングル材２を組み合わせ、平行に対向する各アングル材２の挟持片部２−１のネジ挿通孔６が開口されている各部位に、締結手段３のナット部材３−１を介在させながら、ネジ挿通孔６からそれぞれネジ部材３−２をナット部材３−１に仮止め状態にねじ込む。このようにして、図１に示すように、段ボール製パネル１を平面視で四方向（略十字状）、直線や直角な二方向、そして三方向（略Ｔ字状）に接続するのに必要な本数の４本のアングル材２の組み合わせからなる接続柱Ａを組み立て準備する。
【００２４】
そして、図４の（ｂ）に示すように、締結手段３によって連結されている４本のアングル材２の平行に対向する各挟持片部２−１の間に、パネル１の接続辺部１−１を差し込む。このとき、接続辺部１−１に設けられている係止凹部４の挿入口部４−１をナット部材３−１に位置させて挟持片部２−１の間に接続辺部１−１を差し込み、ナット部材３−１に突き当たったところで、パネル１を下方にスライドさせる。これにより、係止凹部４の抜け止め部４−２が、挟持片部２−１に介在されているナット部材３−１に対して水平方向に抜止不能に係止される。
【００２５】
このようにして、４本のアングル材２の組み合わせによって組み立てられている接続柱Ａの各挟持片部２−１の間にパネル１の接続辺部１−１を差し込んだ後に、締結手段３のネジ部材３−２を本締めすることで、図２の（ａ）から（ｃ）に示すように、段ボール製パネル１を四方向や二方向などに接続することができる。
【００２６】
このように構成されている本実施形態に係る接続構造によれば、軽量で、しかも段ボール紙の特性を活かした断熱性に優れている段ボール製パネル１を、図１に示すように、四方向や二方向などに接続することで、例えば、台風、地震などの自然災害によって体育館などに避難した避難住民のプライバシーを守るパーテーションを簡易な工法にて、避難住民の家族構成に応じた広さにてパーテーションを組み立て立設することができる。
また、４本のアングル材２を、図２（ｂ）に示すように、組み合わせることで、図１および後記の図５、図６に示すように、出入り口７を備えて周囲を完全に囲撓させたパーテーションとなして、なおかつ、出入り口７に引き戸式の扉８などを装備する際などに、扉８の開閉に邪魔にならなりようにして段ボール製パネル１を接続することができる。
さらに、図２の（ｃ）に示すように、４本のアングル材２の組み合わせによる接続柱Ａに１本のアングル材２を取り付けることで、扉８を閉じたときに、扉８の一辺部（開閉前側辺部）を係合させて出入り口７の閉じ状態の安定性を図る扉係合凹部９を確保することができる。
【００２７】
[具体的な使用例の説明]
つぎに、前記の接続構造を適用した具体的な使用例について説明する。
図５は、段ボール製壁パネルの接続によって組み立てられる壁部を有する簡易組立式住宅の一例を示す概略側面図であり、図６は、同概略平面図であり、図７は、各要部を拡大して示す断面図である。ここでは、図１から図３を適宜参照しながら説明する。
なお、この具体的な使用例の説明においては、前記の実施形態と同じ構成要素に同じ符号を付することで、重複説明は省略する。
簡易組立式住宅Ｂ（以後、「住宅」称する）は、図５および図６に示すように、段ボール製の壁部Ｂ−１、段ボール製の床部Ｂ−２、段ボール製の天井部Ｂ−３とから分解可能に構成されている。そして、図６に示すように、壁部Ｂ−１の一面には、前記の出入り口７を備え、さらに、この出入り口を開閉するための扉８が装備されている。
【００２８】
この住宅Ｂの壁部Ｂ−１は、４本のアングル材２の組み合わせからなる接続柱Ａに、段ボールの壁パネル９を、前記の実施形態のように、締結手段３によって接続することで組み立てられている。
【００２９】
床部Ｂ-２は、図７に示すように、圧縮成形された紙材からなるアングル材１０を各辺部に囲撓状に備えて、壁部Ｂ−１の一辺幅に相当する大きさに形成されている１乃至数枚の段ボール製の床パネル１０を敷き詰めることで形成されている。
床パネル１０は、周囲各辺に備えているアングル材１０の垂直片部に１０−１の要所に、下向き開口の略逆向きＵ字形状に形成されている掛止部１１を備えており、各壁部Ｂ−１の下端辺部にそれぞれ取り付けられている掛止手段１２に対して、上方から嵌め合わせ掛止させることで、壁部Ｂ−１との一体化を図るようにしている。
【００３０】
掛止手段１２は、図７に示すように、壁パネルの厚さに相当する長さを有して、図３に示すナット介在孔５に内設されるナット部材１２−１と、壁パネルの両面に当接される大きめのワッシャ部材１２−２と、アングル材１０の垂直片部１０−１に板厚に相当するナット部材１２−３またはカラーなどの介在部材と、このナット部材１２−３を介してワッシャ部材１２−２との間にアングル材１０の垂直片部１０−１に板厚に相当する隙間を確保するリング形状の掛止部材１２−４と、この掛止部材１２−４をナット部材１２−１に締結するネジ部材１２−５を備えて構成されている。
【００３１】
天井部Ｂ−３は、図５および図７に示すように、段ボール製の天井パネル１３によって形成されている。
天井パネル１３は、壁パネル９の上端辺部の内側に沿う略Ｌ字形状のアングル材１４を備えており、このアングル材１４に備えられている前記の掛止部１１を、各壁部Ｂ−１の上端辺部にそれぞれ取り付けられている前記の掛止手段１２に対して、上方から嵌め合わせ掛止させることで、壁部Ｂ−１との一体化を図るようにしている。
【００３２】
扉８は、出入り口７の上部から住宅Ｂの一辺壁部Ｂ−１の幅方向にわたり、図５に示すように、前記の掛止手段１２によって取り付けられている紙製のアングル材１５に、レール部材１６を介して引き戸式に開閉し得るように吊持されている。
また、扉８は、図５に示すように、壁部Ｂ−１に取り付けられているレール部材１７に連結されている。これにより、扉８が振れることなく、開閉し得るようにしている。
【００３３】
また、住宅Ｂは、図５から図７に示すように、ベッド１８を備えている。このベッド１８は、前記の床パネル１０と略同じ構成に形成され、壁部Ｂ−１に取り付けられている掛止手段１９に対して、上方から嵌め合わせ掛止させることで、壁部Ｂ−１との一体化が図られた状態で装備されるようになっている。
【００３４】
なお、掛止手段１９は、前記の掛止手段１２と基本的に同じ構成要素にて構成されているが、図７に示すように、壁パネル９を挟み込むようにその両表面に当接されるワッシャ部材１９−１には壁パネル９に食い込ませるように掛止させる爪部２０を備えている。
これにより、使用者の体重を、ナット部材に対するねじ部材の締結力と、壁パネル９に対する爪部２０の食い込み掛止力とによって支えることができるようにしている。
また、図６に示すように、ベッド１８と床部Ｂ−２との間にはベッド１８を支えるベッド支え部材２１を備えている。これにより、使用者の体重をより確実に支えることができる構造としている。
【００３５】
なお、本発明の実施形態の具体的な構成は、前記した実施形態に限られるものではなく、請求項１から請求項５に記載の本発明の要旨を逸脱しない範囲で設計変更などがあっても本発明に含まれるものである。
例えば、接続柱Ａを構成する複数本のアングル材２は、断面視で略Ｌ字形状を呈する直角形状に限らず、１２０°の角度を有する断面視で略くの字形状とすることができる。この場合、３本のアングル材２の組み合わせによって接続柱Ａを構成し、段ボール製パネル１（壁パネル９）を平面視で１２０°の角度にて三方向や二方向に向けて接続することができる。
【００３６】
また、係止凹部４を、略Ｕ字形状などのその他の形状に形成することができる。つまり、段ボール製パネル１の接続辺部１−１を、平行に対向するアングル材２の挟持片部２−１の間に差し込んだときに、該挟持片部２−１の間に介在されている締結手段３のナット部材３−１に係止させることができる形状であれば、任意である。
【００３７】
さらに、本発明の接続構造は、段ボール製パネル１を用いてパーテーションを組み立てる、簡易組立式住宅Ｂの壁部Ｂ−１を組み立てるなどのほかに、四角形や多角形などの筒状物を組み立てるために適用することも可能である。
【図面の簡単な説明】
【００３８】
【図１】本発明の実施形態に係る接続構造による段ボール製パネルの接続形態の一例を示す概略平面図である。
【図２】（ａ）から（ｃ）は、図１のａからｃの各要部を示す横断拡大図である。
【図３】本実施形態に係るパネルおよびアングル材をそれぞれ示す斜視図である。
【図４】段ボール製パネルを接続するときの手順の一例を示す要部の横断拡大図である。
【図５】段ボール製壁パネルの接続によって組み立てられる壁部を有する簡易組立式住宅の一例を示す概略縦断面図である。
【図６】同概略横断面図である。
【図７】図５における要部を拡大して示す断面図である。
【符号の説明】
【００３９】
１      パネル
１−１  接続辺部
２      アングル材
２−１  挟持片部
３      締結手段
３−１  ナット部材
３−２  ネジ部材
４      係止凹部
４−１  挿入口部
４−２  抜け止め部
６      ネジ挿通孔
９      壁パネル
【図１】
2010007445.tif 000003
【図２】
2010007445.tif 000004
【図３】
2010007445.tif 000005
【図４】
2010007445.tif 000006
【図５】
2010007445.tif 000007
【図６】
2010007445.tif 000008
【図７】
2010007445.tif 000009